(57)【要約】【課題】タインを取り付けるためのナットやボルトの端部で牧草を引っ掛けないようにしたレーキの構造を提供することを目的とする。【解決手段】放射状に設けられたタインアーム５を外周方向に沿って３６０度回転させるとともに、当該タインアーム５を軸方向を中心として揺動させるローター４と、当該ローター４に取り付けられたタインアーム５に取り付けられるタイン６とを備えてなるレーキ１において、円筒状のタインアーム５の内側壁面に沿った円形曲面を有するナット部材９を設けるようにする。そして、固定具７を用いてタイン６をタインアーム５に固定する場合、固定具７側からボルト８を挿入し、前記ナット部材９でタイン６を固定してタインアーム５の反対側からボルト８を突出させないようにする。【選択図】図２
2015186458.tif 000002
【特許請求の範囲】
【請求項１】
放射状に設けられたタインアームを外周方向に沿って回転させるとともに、当該タインアームを軸方向を中心として揺動させるローターと、
当該ローターに取り付けられたタインアームに取り付けられるタインと、
を備えてなるレーキにおいて、
筒状のタインアームの内部にナット部材を設け、
固定具を介してタイン側からボルトを挿入し、前記ナット部材でタインを固定するようにしたことを特徴とするレーキ。
【請求項２】
前記ナット部材を、筒状のタインアームの内側壁面に沿って湾曲するように構成されたものである請求項１に記載のレーキ。
【請求項３】
前記タインが複数設けられるものであり、前記ナット部材が、複数のタインに対して一本で構成されるものである請求項１に記載のレーキ。
【発明の詳細な説明】
【技術分野】
【０００１】
本発明は、圃場を走行しながら牧草や麦藁など（以下、「牧草」とまとめて称する）を列方向に集めるようにしたレーキに関するものであり、より詳しくは、集めた牧草にタインアームが接触した場合であっても牧草を散乱させないようにしたレーキに関するものである。
【背景技術】
【０００２】
従来の一般的なレーキの構造を図７などに説明する。このレーキは、大きな圃場などでトラクターに牽引されて使用されるものであって、トラクターのＰＴＯによる駆動力を用いて回転するローター１０１と、そのローター１０１の外周に放射状に設けられた複数のタインアーム１０２と、そのタインアーム１０２の先端側に設けられた複数のタイン１０３とを設けて構成されている。
【０００３】
そして、このようなレーキを使用する際には、トラクターで走行させながらローター１０１の外周に設けられたタインアーム１０２を半時計回りに回転させる。このとき、タインアーム１０２はその軸方向に揺動しながら回転できるようになっており、図７の領域Ａの部分ではタインを地面に接触させ、また、領域Ｂの部分ではタイン１０３を持ち上げて先端を地面から離間させるようになっている。そして、このようにタイン１０３を上げ下げさせながら回転させることによって、領域Ｂの方向に牧草を集め、その後、ロールベーラーなどを用いて集草できるようにしている。
【０００４】
ところで、このようなレーキのタインアーム１０２にタイン１０３を取り付ける場合、図８に示すように、円筒状に構成されたタインアーム１０２にボルト１０４を貫通させるとともに、反対側から突出する端部にナット１０５を取り付けてタイン１０３を固定するようにしている。
【先行技術文献】
【特許文献】
【０００５】
【特許文献１】実開昭６２−１５３８２９号公報
【発明の概要】
【発明が解決しようとする課題】
【０００６】
しかしながら、このような方法でタインを取り付ける場合、次に示すような問題を生じていた。
【０００７】
すなわち、図８のようにタイン１０３の反対側にナット１０５などを突出させるようにしていると、タインアーム１０２を回転させる際、その突出した部分に集草された牧草を引っ掛けてしまい、そこから芋蔓式に牧草を引きずり出して、牧草を散乱させてしまうことがあった。より具体的には、走行時には、タインアーム１０２の回転領域Ａではタイン１０３を接地させて牧草を集めるとともに、回転領域Ｂではタイン１０３を持ち上げて牧草を山状に集めるようにしているが、このような状況のもとで、トラクターで走行させながらタインアーム１０２を回転させると、図９に示すように、既に山のように集めた牧草に回転してきたタインアーム１０２のボルト１０４やナット１０５などが接触してしまい、牧草を引っ掛けて芋蔓式に牧草を撒き散らしてしまうことがあった。
【０００８】
また、従来のようにナット１０５で反対側からボルト１０４を締め付けるようにした構造では、タイン１０３を固定するために強く締め付けると、円筒状のタインアーム１０２が変形してしまい、この変形に伴ってタイン１０３の向く方向が変わってしまう可能性があった。
【０００９】
そこで、本発明は上記課題に着目してなされたもので、タインを取り付けるためのナットやボルトの端部で牧草を引っ掛けないようにしたレーキの構造を提供することを目的とする。
【課題を解決するための手段】
【００１０】
すなわち、本発明は上記課題を解決するために、放射状に設けられたタインアームを外周方向に沿って回転させるとともに、当該タインアームを軸方向を中心として揺動させるローターと、当該ローターに取り付けられたタインアームに取り付けられたタインとを備えてなるレーキにおいて、筒状のタインアームの内部にナット部材を設け、固定具を介してタイン側からボルトを挿入して、前記ナット部材でタインを固定するようにしたものである。
【００１１】
このように構成すれば、ナット部材やボルトの先端をタインアームから突出させないので、牧草の山にタインアームが接触したとしても、牧草を引っ掛けることがなくなり、芋蔓式に引きずり出すようなことがなくなる。
【００１２】
また、このような発明において、前記ナット部材を、筒状のタインアームの内側壁面に沿って湾曲させるように構成する。
【００１３】
このようにすれば、タインアームの内側壁面にナット部材が密着するので、ボルトとナットとを強く締め付けてもタインアームが変形するようなことがなくなる。
【００１４】
さらには、前記タインを複数設ける場合、複数のタインに対して一本のナット部材で構成する。
【００１５】
このように構成すれば、ナット部材をタインアームに挿入する際、複数のタインのボルト挿入穴と雌ネジ部とを一度に合わすことができるため、特に、奥方のボルト挿入穴と雌ネジ部との位置を簡単に合わせすることができるようになる。
【発明の効果】
【００１６】
本発明によれば、放射状に設けられたタインアームを外周方向に沿って回転させるとともに、当該タインアームを軸方向を中心として揺動させるローターと、当該ローターに取り付けられたタインアームに取り付けられるタインとを備えてなるレーキにおいて、筒状のタインアームの内部にナット部材を設け、固定具を介してタイン側からボルトを挿入して、前記ナット部材でタインを固定するようにしたので、ナット部材やボルトの先端をタインアームから突出させることがなくなり、牧草の山にタインアームが接触したとしても、牧草を引っ掛けることがなくなる。
【図面の簡単な説明】
【００１７】
【図１】本発明の一実施の形態を示すレーキの全体構造を示す図
【図２】同形態におけるタインアームを軸方向から見た図
【図３】同形態におけるタインの取付状態を示す図
【図４】同形態におけるタインの取付状態を示す分解斜視図
【図５】他の実施の形態におけるナット部材を示す図
【図６】同形態におけるタインの回転と牧草の山との接触状態を示す図
【図７】従来例における一般的なレーキを示す図
【図８】従来例におけるタインの取付状態を示す図
【図９】従来例におけるタインアームの回転と牧草の山との接触状態を示す図
【発明を実施するための形態】
【００１８】
以下、本発明の一実施の形態について図面を参照しながら説明する。
【００１９】
この実施の形態におけるレーキ１は、トラクターなどに牽引されて圃場の牧草を列方向に集められるようにしたものであって、図１に示すように、トラクターに牽引される連結部２と、メインフレーム３の後端側に設けられ、外周部分に放射状のタインアーム５を設けてなるローター４と、そのタインアーム５の先端側に設けられる複数のタイン６とを設けて構成されている。そして、このような構成において、タイン６をタインアーム５に取り付ける際に、図２に示すように、筒状のタインアーム５の内部にナット部材９を挿入し、固定具７を用いてボルト８で固定できるようにしたものである。以下、本発明の一実施の形態について詳細に説明する。
【００２０】
まず、レーキ１の前方側に設けられる連結部２は、トラクターのトップリンクに連結される上部連結部２１と、トラクターのロアーリンクに連結される下部連結部２２とを備えて構成されており、これによって縦長方向のメインフレーム３を牽引できるようになっている。このメインフレーム３の内側には、トラクターのＰＴＯによって駆動される図示しないシャフトが通されており、ＰＴＯによる駆動力によってシャフトを回転させるようになっている。
【００２１】
一方、このメインフレーム３の後端側に設けられるローター４は、その外周に放射状にタインアーム５を設けるようにしたものであって、そのタインアーム５をローター４を中心として３６０度回転させるとともに、そのタインアーム５を軸方向を中心に揺動させるようにしている。このタインアーム５を３６０度回転や揺動させる場合、シャフトの駆動力を用いて、ローター４の内部に設けられた回転変換機構や揺動回転機構などを用いて駆動させるようにしている。
【００２２】
このローター４の外周に設けられるタインアーム５は、図２や図４に示すように、円筒状に構成されるものであって、先端側に複数のタイン６を取り付けられるようになっている。このようなタイン６としては、図２や図３に示すように、二本のフォーク６１の基端側のそれぞれにコイル部６２を設けるとともに、左右のコイル部６２の間にブリッジ部６３を設けるように構成されており、フォーク６１で圃場を引っ掻くことによって牧草を集められるようにしている。フォーク６１で圃場を引っ掻く場合、フォーク６１がタインアーム５の回転方向にしなるようになるが、コイル部６２でそのしなりを吸収できるようになっている。
【００２３】
このような構成において、タインアーム５にタイン６を取り付ける際の構成について、図２から図４を用いて説明する。
【００２４】
タインアーム５にタイン６を取り付けるための固定具７は、コイル部６２の間のブリッジ部６３を上から挟み込むことでタイン６を固定できるようにしたものであって、図４に示すように、下向きＵ字状の屈曲部７１の前後に舌片７２とアーム外接片７４とを有するように構成されている。
【００２５】
この舌片７２は、コイル部６２の隙間のブリッジ部６３に上から挿入できるようになっており、図３に示すように、その下端側をコイル部６２の下方まで伸ばして左右のコイル部６２に接するようにし、これによって、フォーク６１の左右の振れを防止できるようにしている。また、図３に示すように、この舌片７２の左右両側には下端部よりも幅広に構成されたコイル固定片７３を設けており、この固定具７をブリッジ部６３の上から挿入することで、図３に示すように、コイル部６２の内側中空部分からコイル部６２を押圧できるようにしている。
【００２６】
一方、アーム外接片７４は、図２や図４に示すように、タインアーム５の外周に沿って湾曲するように設けられており、これによって、ボルト８でタイン６を強く固定する際に、タインアーム５を変形させないようにしている。
【００２７】
また、これらの舌片７２とアーム外接片７４には、ボルト８を貫通させるための穴７５部が設けられており、固定具７における屈曲部７１の内側にブリッジ部６３を位置させた後、ボルト８を挿入することで屈曲部７１とボルト８でタイン６が抜けないようにしている。
【００２８】
一方、このタインアーム５の円筒状内部には、図２や図４に示すようなナット部材９が設けられる。このナット部材９は、タインアーム５の先端開口部５１から挿入できるようにしたもので、タインアーム５の内壁に沿った円形曲面を有するように構成されている。ここで、ナット部材９を、それぞれのタイン６に対応して個別に設けるようにしてもよいが、このようにすると、奥方にナット部材を挿入する際、奥方のナット部材とボルト挿入穴５２との位置合わせが困難になる。そこで、この実施の形態では、一本のナット部材９に、それぞれのボルト挿入穴５２に合わせた複数の雌ネジ部９１を設けるようにし、これによって、すべてのボルト挿入穴５２と同時に位置合わせできるようにしている。このとき、ボルト挿入穴５２と雌ネジ部９１の位置合わせを行う際、目視によって位置合わせをしてもよいし、あるいは、タインアーム５の先端開口部５１分とナット部材９の端部を一致させた際に、ちょうどボルト挿入穴５２と雌ネジ部９１とを一致させるようにしておいてもよい。
【００２９】
また、このナット部材９としては、ここでは半円柱状に構成しているが、図５（ａ）に示すように、円柱状にナット部材９を構成してもよい。但し、前述のようにナット部材９を半円柱状に構成すると、タインアーム５とナット部材９の間に隙間を形成することができるため、そこから雌ネジ部９１の位置を目視することができ、ボルト挿入穴５２と雌ネジ部９１を容易に位置合わせできるというメリットがある。
【００３０】
あるいは、円柱状にナット部材９を構成する際には、雌ネジ部９１の穴の方向が分かるように、図５（ａ）に示すような雌ネジ部９１の穴の方向に沿った目印９２を端部に設けるようにしてもよい。また、雌ネジ部９１の位置合わせの際に、ナット部材９を回転させる必要があるため、図５（ｂ）に示すように、この雌ネジ部９１の穴の方向に沿った線状の凹部９３を端部に設け、この凹部９３にマイナスドライバーなどの工具を差し込んで回転させることでそれぞれの穴の位置を一致させるようにしてもよい。
【００３１】
そして、このように構成されたナット部材９をタインアーム５の先端側から挿入し、ボルト挿入穴５２と雌ネジ部９１との位置合わせを行う。また、これとともに、固定具７をタイン６のブリッジ部６３に挿入する。そして、固定具７の穴７５からボルト８を挿入し、ボルト挿入穴５２を介してナット部材９の雌ネジ部９１に取り付けるようにする。すると、ボルト８の締め付けによって、コイル固定片７３でタイン６をタインアーム５側に押圧させることができ、また、ブリッジ部６３を屈曲部７１の内側とボルト８との間に挟み込むことでタイン６の抜けを防止することができる。このとき、固定具７の舌片７２がコイル部６２の両側面に接するようになっているため、フォーク６１の横方向の振れを防止することができ、フォーク６１を規則正しく整列させることができるようになる。
【００３２】
次に、このようにタイン６を取り付けたレーキ１を用いて集草する際の動作について説明する。
【００３３】
トラクターに牽引された状態でレーキ１を走行させると、その走行方向に向かって右側の領域Ａでタイン６が接地し、走行方向に向かって左側の領域Ｂではタイン６が持ち上がるようにタインアーム５が回転する。そして、このタインアーム５の回転によってタイン６が上げ下げされ、タインアーム５の回転方向に牧草を掻き出すようになる。このとき、タイン６が領域Ｂに近づくと、タインアーム５を持ち上げられるため、牧草を領域Ｂに集めることができるようになる。このように集められた牧草は、図６に示すように、山状に盛り上がることになる。
【００３４】
このような状態でレーキ１を走行させると、今度は、タイン６を持ち上げたタインアーム５が回転してきて、山状に盛り上げられた牧草の上を通過する。このとき、盛り上げられた牧草の山が低い場合はタインアーム５が牧草に接触することなく通過するが、盛り上げられた山が高い場合や、あるいは、圃場の凹凸によってタインアーム５が傾斜した場合、前方から回転してきたタインアーム５が牧草の山に接触することになる。
【００３５】
しかしながら、このタインアーム５にはナット部材９やボルト８の先端側を突出させていないため、牧草を引っ掛けて芋蔓式に引きずり出すようなことがなくなる。また、仮にタインアーム５が牧草の山に接触した場合であっても、タインアーム５が円筒状に構成されているので、牧草がタインアーム５からスムーズに逃げて接触部分の牧草のみを散乱させるだけで済む。
【００３６】
そして、このようにタインアーム５を回転させ、領域Ａまで回転させることによって再びタイン６を接地させ、圃場の牧草を引っ掻くようにする。
【００３７】
このように上記実施の形態によれば、放射状に設けられたタインアーム５を外周方向に沿って回転させるとともに、当該タインアーム５を軸方向を中心として揺動させるローター４と、当該ローター４に取り付けられたタインアーム５に取り付けられるタイン６とを備えてなるレーキ１において、筒状のタインアーム５の内部にナット部材９を設け、固定具７を介してタイン６側からボルト８を挿入して、前記ナット部材９でタイン６を固定するようにしたので、牧草の山にタインアーム５が接触したとしても、牧草を引っ掛けることがなくなり、芋蔓式に引きずり出すようなことがなくなる。
【００３８】
また、ナット部材９を、円筒状のタインアーム５の内側壁面に沿うように湾曲させたので、ボルト８を強く締め付けたとしてもタインアーム５が変形するようなことがなくなる。
【００３９】
さらには、複数のタイン６に対して一本のナット部材９で構成したので、ナット部材９をタインアーム５に挿入する際、複数のタイン６のボルト挿入穴５２と雌ネジ部９１とを一度に位置合わすことができ、特に、奥方のボルト挿入穴５２と雌ネジ部９１との位置を簡単に合わせすることができるようになる。
【００４０】
なお、本発明は上記実施の形態に限定されることなく、種々の態様で実施することができる。
【００４１】
例えば、上記実施の形態では、トラクターに牽引されるレーキ１について説明したが、自走式のレーキ１などにも同様の構成を適用することができる。
【００４２】
また、上記実施の形態では、ローター４を１つだけ設ける構成のレーキ１について説明したが、複数のローター４を有してタインアーム５を回転させる構成についても適用することができる。
【００４３】
さらに、上記実施の形態では、半円柱状のナット部材９に雌ネジ部９１を形成したものを具体例として挙げて説明したが、半円柱状の部材にボルト８を通し、その先端側にナット部材９を固着してボルト８を固定できるようにしてもよい。
【００４４】
加えて、上記実施の形態では、図４に示すような固定具７を用いてタイン６を取り付けるようにしているが、他の固定具７を用いて固定するようにしてもよいし、あるいは、タインアーム５にボルト８を挿入する穴を形成して、そこから直接ボルト８を挿入して固定するようにしてもよい。
【符号の説明】
【００４５】
１・・・レーキ
２・・・連結部
２１・・・上部連結部
２２・・・下部連結部
３・・・メインフレーム
４・・・ローター
５・・・タインアーム
５１・・・先端側の開口部
５２・・・ボルト挿入穴
６・・・タイン
６１・・・フォーク
６２・・・コイル部
６３・・・ブリッジ部
７・・・固定具
７１・・・屈曲部
７２・・・舌片
７３・・・コイル固定片
７４・・・アーム外接片
７５・・・穴
８・・・ボルト
９・・・ナット部材
９１・・・雌ネジ部
９２・・・目印
９３・・・凹部
【図１】
2015186458.tif 000003
【図２】
2015186458.tif 000004
【図３】
2015186458.tif 000005
【図４】
2015186458.tif 000006
【図５】
2015186458.tif 000007
【図６】
2015186458.tif 000008
【図７】
2015186458.tif 000009
【図８】
2015186458.tif 000010
【図９】
2015186458.tif 000011